(57)【要約】      （修正有）【課題】整形外科器具システムを提供する。【解決手段】滅菌トレイ１４に、複数の器具保持装置２０があり、それぞれに複数の異なるサイズを有する複数の右肢側特定型整形外科用トライアルコンポーネントが収容されており、この右肢側特定型整形外科用トライアルコンポーネントを収容する滅菌トレイ１４には、左肢側特定型整形外科用トライアルコンポ―ネントは収容されない。【選択図】図１
2019063501.tif 000002
【特許請求の範囲】
【請求項１】
外科用器具システムであって、
複数の整形外科用器具であって、（ｉ）複数の右肢側特定型整形外科用トライアルコンポーネントであって、前記複数の右肢側特定型整形外科用トライアルコンポーネントの各々が、前記複数の右肢側特定型整形外科用トライアルコンポーネントのうちの他のもののうちの少なくともいくつかのサイズとは異なるサイズを有する、複数の右肢側特定型整形外科用トライアルコンポーネントと、（ｉｉ）複数の左肢側特定型整形外科用トライアルコンポーネントであって、前記複数の左肢側特定型整形外科用トライアルコンポーネントの各々が、前記複数の左肢側特定型整形外科用トライアルコンポーネントのうちの他のもののうちの少なくともいくつかのサイズとは異なるサイズを有する、複数の左肢側特定型整形外科用トライアルコンポーネントと、を含む、複数の整形外科用器具と、
前記整形外科用器具をその滅菌及び輸送中に保持するように構成された複数の器具保持装置を有する、第１の器具滅菌トレイであって、前記複数の器具保持装置の各々が、それに保持された前記複数の整形外科用器具のうちの１つを有する場合、前記複数の左肢側特定型整形外科用トライアルコンポーネントのうちのいずれも有しない、第１の器具滅菌トレイと、
前記整形外科用器具をその滅菌及び輸送中に保持するように構成された複数の器具保持装置を有する、第２の器具滅菌トレイであって、前記複数の器具保持装置の各々が、それに保持された前記複数の整形外科用器具のうちの１つを有する場合、前記複数の右肢側特定型整形外科用トライアルコンポーネントのうちのいずれも有しない、第２の器具滅菌トレイと、を備える、外科用器具システム。
【請求項２】
前記複数の右肢側特定型整形外科用トライアルコンポーネントが、複数の右肢側特定型大腿骨トライアルコンポーネントを備え、
前記複数の左肢側特定型整形外科用トライアルコンポーネントが、複数の左肢側特定型大腿骨トライアルコンポーネントを備え、
前記第１の器具滅菌トレイは、前記複数の器具保持装置の各々が、そこに保持された前記複数の整形外科用器具のうちの１つを有する場合、前記複数の左肢側特定型大腿骨トライアルコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨トライアルコンポーネントのいずれも有しない、請求項１に記載の外科用器具システム。
【請求項３】
前記複数の右肢側特定型大腿骨トライアルコンポーネントの各々が、前記複数の右肢側特定型大腿骨トライアルコンポーネントのうちの他のものの各々のサイズとは異なるサイズを有し、
前記複数の左肢側特定型大腿骨トライアルコンポーネントの各々が、前記複数の左肢側特定型大腿骨トライアルコンポーネントのうちの他のものの各々のサイズとは異なるサイズを有する、請求項２に記載の外科用器具システム。
【請求項４】
前記複数の右肢側特定型大腿骨トライアルコンポーネントが、複数の右肢側特定型大腿骨カットスルートライアルコンポーネントを備え、
前記複数の左肢側特定型大腿骨トライアルコンポーネントが、複数の左肢側特定型大腿骨カットスルートライアルコンポーネントを備える、請求項２に記載の外科用器具システム。
【請求項５】
前記複数の右肢側特定型整形外科用トライアルコンポーネントが、複数の右肢側特定型髄内コネクタコンポーネントを備え、
前記複数の左肢側特定型整形外科用トライアルコンポーネントが、複数の左肢側特定型髄内コネクタコンポーネントを備え、
前記第１の器具滅菌トレイは、前記複数の器具保持装置の各々が、そこに保持された前記複数の整形外科用器具のうちの１つを有する場合、前記複数の左肢側特定型髄内コネクタコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型髄内コネクタコンポーネントのうちのいずれも有しない、請求項１に記載の外科用器具システム。
【請求項６】
前記複数の右肢側特定型髄内コネクタコンポーネントの各々が、前記複数の右肢側特定型髄内コネクタコンポーネントのうちの他のものの各々のサイズとは異なるサイズを有し、
前記複数の左肢側特定型髄内コネクタコンポーネントの各々が、前記複数の左肢側特定型髄内コネクタコンポーネントのうちの他のものの各々のサイズとは異なるサイズを有する、請求項５に記載の外科用器具システム。
【請求項７】
前記複数の右肢側特定型整形外科用トライアルコンポーネントが、複数の右肢側特定型ボックストライアルコンポーネントを備え、
前記複数の左肢側特定型整形外科用トライアルコンポーネントが、複数の左肢側特定型ボックストライアルコンポーネントを備え、
前記第１の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有さず、
前記第２の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有しない、請求項１に記載の外科用器具システム。
【請求項８】
前記複数の右肢側特定型ボックストライアルコンポーネントの各々が、前記複数の右肢側特定型ボックストライアルコンポーネントのうちの他のものの各々のサイズとは異なるサイズを有し、
前記複数の左肢側特定型ボックストライアルコンポーネントの各々が、前記複数の左肢側特定型ボックストライアルコンポーネントのうちの他のものの各々のサイズとは異なるサイズを有する、請求項７に記載の外科用器具システム。
【請求項９】
前記複数の右肢側特定型整形外科用トライアルコンポーネントが、複数の右肢側特定型大腿骨リーマガイドコンポーネントを備え、
前記複数の左肢側特定型整形外科用トライアルコンポーネントが、複数の左肢側特定型大腿骨リーマガイドコンポーネントを備え、
前記第１の器具滅菌トレイは、前記複数の器具保持装置の各々が、そこに保持された前記複数の整形外科用器具のうちの１つを有する場合、前記複数の左肢側特定型大腿骨リーマガイドコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨リーマガイドコンポーネントのうちのいずれも有しない、請求項１に記載の外科用器具システム。
【請求項１０】
前記複数の右肢側特定型大腿骨リーマガイドコンポーネントの各々が、前記複数の右肢側特定型大腿骨リーマガイドコンポーネントのうちの他のものの各々のサイズとは異なるサイズを有し、
前記複数の左肢側特定型大腿骨リーマガイドコンポーネントの各々が、前記複数の左肢側特定型大腿骨リーマガイドコンポーネントのうちの他のものの各々のサイズとは異なるサイズを有する、請求項９に記載の外科用器具システム。
【請求項１１】
外科用器具システムであって、
複数の整形外科用器具であって、（ｉ）複数の右肢側特定型大腿骨トライアルコンポーネントであって、前記複数の右肢側特定型大腿骨トライアルコンポーネントの各々が、前記複数の右肢側特定型大腿骨トライアルコンポーネントのうちの他のものの各々のサイズとは異なるサイズを有する、複数の右肢側特定型大腿骨トライアルコンポーネントと、（ｉｉ）複数の左肢側特定型大腿骨トライアルコンポーネントであって、前記複数の左肢側特定型大腿骨トライアルコンポーネントの各々が、前記複数の左肢側特定型大腿骨トライアルコンポーネントのうちの他のものの各々のサイズとは異なるサイズを有する、複数の左肢側特定型大腿骨トライアルコンポーネントと、を含む、複数の整形外科用器具と、
前記整形外科用器具をその滅菌及び輸送中に保持するように構成された複数の器具保持装置を有する、第１の器具滅菌トレイであって、前記複数の器具保持装置の各々が、それに保持された前記複数の整形外科用器具のうちの１つを有する場合、前記複数の左肢側特定型大腿骨トライアルコンポーネントのいずれも有しない、第１の器具滅菌トレイと、
前記整形外科用器具をその滅菌及び輸送中に保持するように構成された複数の器具保持装置を有する、第２の器具滅菌トレイであって、前記複数の器具保持装置の各々が、それに保持された前記複数の整形外科用器具のうちの１つを有する場合、前記複数の右肢側特定型大腿骨トライアルコンポーネントのいずれも有しない、第２の器具滅菌トレイと、を備える、外科用器具システム。
【請求項１２】
前記複数の右肢側特定型大腿骨トライアルコンポーネントが、複数の右肢側特定型大腿骨カットスルートライアルコンポーネントを備え、
前記複数の左肢側特定型大腿骨トライアルコンポーネントが、複数の左肢側特定型大腿骨カットスルートライアルコンポーネントを備える、請求項１１に記載の外科用器具システム。
【請求項１３】
前記複数の整形外科用器具が、（ｉ）複数の右肢側特定型髄内コネクタコンポーネントと、（ｉｉ）複数の左肢側特定型髄内コネクタコンポーネントと、を更に含み、
前記第１の器具滅菌トレイは、前記複数の器具保持装置の各々が、そこに保持された前記複数の整形外科用器具のうちの１つを有する場合、前記複数の左肢側特定型髄内コネクタコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型髄内コネクタコンポーネントのいずれも有しない、請求項１１に記載の外科用器具システム。
【請求項１４】
前記複数の右肢側特定型髄内コネクタコンポーネントの各々が、前記複数の右肢側特定型髄内コネクタコンポーネントのうちの他のものの各々のサイズとは異なるサイズを有し、
前記複数の左肢側特定型髄内コネクタコンポーネントの各々が、前記複数の左肢側特定型髄内コネクタコンポーネントのうちの他のものの各々のサイズとは異なるサイズを有する、請求項１３に記載の外科用器具システム。
【請求項１５】
前記複数の整形外科用器具が、（ｉ）複数の右肢側特定型ボックストライアルコンポーネントと、（ｉｉ）複数の左肢側特定型ボックストライアルコンポーネントと、を更に含み、
前記第１の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型ボックストライアルコンポーネントのうちのいずれも有しない、請求項１１に記載の外科用器具システム。
【請求項１６】
前記複数の右肢側特定型ボックストライアルコンポーネントの各々が、前記複数の右肢側特定型ボックストライアルコンポーネントのうちの他のものの各々のサイズとは異なるサイズを有し、
前記複数の左肢側特定型ボックストライアルコンポーネントの各々が、前記複数の左肢側特定型ボックストライアルコンポーネントのうちの他のものの各々のサイズとは異なるサイズを有する、請求項１５に記載の外科用器具システム。
【請求項１７】
前記複数の整形外科用器具が、（ｉ）複数の右肢側特定型大腿骨リーマガイドコンポーネントと、（ｉｉ）複数の左肢側特定型大腿骨リーマガイドコンポーネントと、を更に含み、
前記第１の器具滅菌トレイは、前記複数の器具保持装置の各々が、そこに保持された前記複数の整形外科用器具のうちの１つを有する場合、前記複数の左肢側特定型大腿骨リーマガイドコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨リーマガイドコンポーネントのうちのいずれも有しない、請求項１１に記載の外科用器具システム。
【請求項１８】
前記複数の右肢側特定型大腿骨リーマガイドコンポーネントの各々が、前記複数の右肢側特定型大腿骨リーマガイドコンポーネントのうちの他のものの各々のサイズとは異なるサイズを有し、
前記複数の左肢側特定型大腿骨リーマガイドコンポーネントの各々が、前記複数の左肢側特定型大腿骨リーマガイドコンポーネントのうちの他のものの各々のサイズとは異なるサイズを有する、請求項１７に記載の外科用器具システム。
【発明の詳細な説明】
【技術分野】
【０００１】
本開示は、概して、整形外科用関節置換処置の実行において使用するための整形外科用器具に関し、より具体的には、補正膝置換処置の実行において使用するための整形外科用器具に関する。
【背景技術】
【０００２】
関節形成術は、病変した生体関節及び／又は損傷した生体関節を人工関節に置換する、周知の外科的処置である。例えば、全膝関節形成術の外科的処置では、患者の生体膝関節を人工膝関節又は膝プロテーゼに部分的又は全体的に置換する。通常の膝プロテーゼは、脛骨トレイ、大腿骨コンポーネント、及び脛骨トレイと大腿骨コンポーネントとの間に位置付けられるポリマーインサート又はベアリングを含む。脛骨トレイは、一般に、遠位に延在するステムを有するプレートを含み、大腿骨コンポーネントは、一般に、一対の離間配置された顆状要素を含み、これはポリマーベアリングの対応する表面と関節接合する表面を含む。脛骨トレイのステムは、患者の脛骨の外科的に調製された髄管内に埋め込まれるように構成され、大腿骨コンポーネントは、患者の大腿骨の外科的に調製された遠位端に連結されるように構成される。
【０００３】
ときには、補正膝手術を患者に行うことが必要とされる場合がある。このような補正膝手術では、以前埋め込まれた膝プロテーゼが外科的に除去され、置換用膝プロテーゼが埋め込まれる。一部の補正膝手術では、例えば、脛骨トレイ、大腿骨コンポーネント、及びポリマーベアリングを含む、以前埋め込まれた膝プロテーゼのコンポーネントの全てが、外科的に除去される場合がある。他の補正膝手術では、以前埋め込まれた膝プロテーゼの一部のみが除去され、置換され得る。
【０００４】
初回又は補正膝手術中、整形外科の執刀医は、典型的には、膝関節プロテーゼを受容するように患者の骨を調製するために、例えば、切断ブロック、リーマ、ドリルガイド、プロテーゼトライアル、及び他の外科用器具等の様々な異なる整形外科用器具を使用する。このような外科用器具は、金属又はポリマー材料のいずれかで構築され得、一般的には再使用可能であるように設計され得る。使用後、再使用可能な外科用器具をトレイ内にキット化し、滅菌し、その後の処置で使用するために手術室に戻す。キットは、次に行う処置が右肢又は左肢の処置であるかにかかわらず、サイズによって組み立てられる。このことは、同様の器具が共にキット化されるように行われる。例えば、補正膝処置のための典型的なサイズベースのキットは、サイズ３、４、及び５の左肢側特定型及び右肢側特定型大腿骨トライアルコンポーネントを含み、異なるキットは、サイズ６、７、及び８の両側特定型大腿骨トライアルコンポーネント（すなわち、左右両側）を含む。しかしながら、補正膝手術は、両側であることはまれである。その結果、トライアルコンポーネントの半分、すなわち手術を受けていない肢に特定的なコンポーネントは使用されず、結果として、不必要な消費資源、例えば、テーブル空間、洗浄、及びその後の滅菌をもたらす。
【発明の概要】
【課題を解決するための手段】
【０００５】
本開示の一態様によれば、外科用器具システムは、複数の整形外科用器具を含む。整形外科用器具は、複数の右肢側特定型整形外科用トライアルコンポーネントを含む。複数の右肢側特定型整形外科用トライアルコンポーネントの各々は、複数の右肢側特定型整形外科用トライアルコンポーネントの他のもののうちの少なくともいくつかのサイズとは異なるサイズを有する。整形外科用器具はまた、複数の左肢側特定型整形外科用トライアルコンポーネントを含み、複数の左肢側特定型整形外科用トライアルコンポーネントの各々が、複数の左肢側特定型整形外科用トライアルコンポーネントの他のもののうちの少なくともいくつかのサイズとは異なるサイズを有する。外科用器具システムはまた、整形外科用器具をその滅菌及び輸送中に保持するように構成された複数の器具保持装置を有する、第１の器具滅菌トレイを含む。第１の器具滅菌トレイは、複数の器具保持装置の各々が、それに保持された複数の整形外科用器具のうちの１つを有する場合、複数の左肢側特定型整形外科用トライアルコンポーネントのうちのいずれも有しない。整形外科用システムはまた、整形外科用器具をその滅菌及び輸送中に保持するように構成された複数の器具保持装置を有する、第２の器具滅菌トレイを含む。第２の器具滅菌トレイは、複数の器具保持装置の各々が、それに保持された複数の整形外科用器具のうちの１つを有する場合、複数の右肢側特定型整形外科用トライアルコンポーネントのうちのいずれも有しない。
【０００６】
複数の右肢側特定型整形外科用トライアルコンポーネントは、複数の右肢側特定型大腿骨トライアルコンポーネントを含んでもよく、複数の左肢側特定型整形外科用トライアルコンポーネントは、複数の左肢側特定型大腿骨トライアルコンポーネントを含んでもよい。一実施形態では、複数の器具保持装置の各々が、それに保持された複数の整形外科用器具のうちの１つを有する場合、第１の器具滅菌トレイは、複数の左肢側特定型大腿骨トライアルコンポーネントのうちのいずれも有さず、複数の器具保持装置の各々が、それに保持された複数の整形外科用器具のうちの１つを有する場合、第２の器具滅菌トレイは、複数の右肢側特定型大腿骨トライアルコンポーネントのうちのいずれも有しない。
【０００７】
一実施形態では、複数の右肢側特定型大腿骨トライアルコンポーネントの各々は、複数の右肢側特定型大腿骨トライアルコンポーネントのうちの他のものの各々のサイズとは異なるサイズを有する。同様に、複数の左肢側特定型大腿骨トライアルコンポーネントの各々は、複数の左肢側特定型大腿骨トライアルコンポーネントのうちの他のものの各々のサイズとは異なるサイズを有し得る。
【０００８】
複数の右肢側特定型大腿骨トライアルコンポーネントは、複数の右肢側特定型大腿骨カットスルートライアルコンポーネントとして埋め込まれてもよく、複数の左肢側特定型大腿骨トライアルコンポーネントは、複数の左肢側特定型大腿骨カットスルートライアルコンポーネントとして埋め込まれてもよい。
【０００９】
一実施形態では、複数の右肢側特定型整形外科用トライアルコンポーネントは、複数の右肢側特定型髄内コネクタコンポーネントを含み、複数の左肢側特定型整形外科用トライアルコンポーネントは、複数の左肢側特定型髄内コネクタコンポーネントを含む。そのような実施形態では、第１の器具滅菌トレイは、複数の器具保持装置の各々が、そこに保持された複数の整形外科用器具のうちの１つを有する場合、複数の左肢側特定型髄内コネクタコンポーネントのうちのいずれも有さず、第２の器具滅菌トレイは、複数の器具保持装置の各々が、そこに保持された複数の整形外科用器具のうちの１つを有する場合、複数の右肢側特定型髄内コネクタコンポーネントのうちのいずれも有しない。
【００１０】
例示的に、複数の右肢側特定型髄内コネクタコンポーネントの各々は、複数の右肢側特定型髄内コネクタコンポーネントの他のものの各々のサイズとは異なるサイズを有し得、複数の左肢側特定型髄内コネクタコンポーネントの各々は、複数の左肢側特定型髄内コネクタコンポーネントの他のものの各々のサイズとは異なるサイズを有し得る。
【００１１】
一実施形態では、複数の右肢側特定型整形外科用トライアルコンポーネントは、複数の右肢側特定型ボックストライアルコンポーネントを含み、複数の左肢側特定型整形外科トライアルコンポーネントは、複数の左肢側特定型ボックストライアルコンポーネントを含む。そのような実施形態では、第１の器具滅菌トレイは、複数の器具保持装置の各々が、それに保持された複数の整形外科用器具のうちの１つを有する場合、複数の左肢側特定型ボックストライアルコンポーネントのうちのいずれも有さず、第２の器具滅菌トレイは、複数の器具保持装置の各々が、それに保持された複数の整形外科用器具のうちの１つを有する場合、複数の右肢側特定型ボックストライアルコンポーネントのうちのいずれも有しない。
【００１２】
例示的に、複数の右肢側特定型ボックストライアルコンポーネントの各々は、複数の右肢側特定型ボックストライアルコンポーネントのうちの他のものの各々のサイズとは異なるサイズを有し得、複数の左肢側特定型ボックストライアルコンポーネントの各々は、複数の左肢側特定型ボックストライアルコンポーネントのうちの他のものの各々のサイズとは異なるサイズを有し得る。
【００１３】
別の実施形態では、複数の右肢側特定型整形外科用トライアルコンポーネントは、複数の右肢側特定型大腿骨リーマガイドコンポーネントを含み、複数の左肢側特定型整形外科用トライアルコンポーネントは、複数の左肢側特定型大腿骨リーマガイドコンポーネントを含む。そのような実施形態では、第１の器具滅菌トレイは、複数の器具保持装置の各々が、それに保持された複数の整形外科用器具のうちの１つを有する場合、複数の左肢側特定型大腿骨リーマガイドコンポーネントのうちのいずれも有さず、第２の器具滅菌トレイは、複数の器具保持装置の各々が、それに保持された複数の整形外科用器具のうちの１つを有する場合、複数の右肢側特定型大腿骨リーマガイドコンポーネントのうちのいずれも有しない。
【００１４】
例示的に、複数の右肢側特定型大腿骨リーマガイドコンポーネントの各々は、複数の右肢側特定型大腿骨リーマガイドコンポーネントのうちの他のものの各々のサイズとは異なるサイズを有し、複数の左肢側特定型大腿骨リーマガイドコンポーネントの各々は、複数の左肢側特定型大腿骨リーマガイドコンポーネントのうちの他のものの各々のサイズとは異なるサイズを有する。
【００１５】
別の態様によれば、外科用器具システムは、複数の整形外科用器具であって、複数の右肢側特定型大腿骨トライアルコンポーネントであって、複数の右肢側特定型大腿骨トライアルコンポーネントの各々が、複数の右肢側特定型大腿骨トライアルコンポーネントのうちの他のものの各々のサイズとは異なるサイズを有する、複数の右肢側特定型大腿骨トライアルコンポーネントと、複数の左肢側特定型大腿骨トライアルコンポーネントであって、複数の左肢側特定型大腿骨トライアルコンポーネントの各々が、複数の左肢側特定型大腿骨トライアルコンポーネントのうちの他のものの各々のサイズとは異なるサイズを有する、複数の左肢側特定型大腿骨トライアルコンポーネントと、を含む、複数の整形外科用器具を有する。本システムはまた、整形外科用器具をその滅菌及び輸送中に保持するように構成された複数の器具保持装置を有する、第１の器具滅菌トレイを含む。第１の器具滅菌トレイは、複数の器具保持装置の各々が、そこに保持された複数の整形外科用器具のうちの１つを有する場合、複数の左肢側特定型大腿骨トライアルトライアルコンポーネントのうちのいずれも有しない。本システムはまた、整形外科用器具をその滅菌及び輸送中に保持するように構成された複数の器具保持装置を有する、第２の器具滅菌トレイを含む。第２の器具滅菌トレイは、複数の器具保持装置の各々が、そこに保持された複数の整形外科用器具のうちの１つを有する場合、複数の右肢側特定型大腿骨トライアルコンポーネントのうちのいずれも有しない。
【００１６】
複数の右肢側特定型大腿骨トライアルコンポーネントは、複数の右肢側特定型大腿骨カットスルートライアルコンポーネントとして埋め込まれてもよく、複数の左肢側特定型大腿骨トライアルコンポーネントは、複数の左肢側特定型大腿骨カットスルートライアルコンポーネントとして埋め込まれてもよい。
【００１７】
複数の整形外科用器具は、複数の右肢側特定型髄内コネクタコンポーネントと、複数の左肢側特定型髄内コネクタコンポーネントとを更に含むことができる。そのような実施形態では、第１の器具滅菌トレイは、複数の器具保持装置の各々が、そこに保持された複数の整形外科用器具のうちの１つを有する場合、複数の左肢側特定型髄内コネクタコンポーネントのうちのいずれも有さず、第２の器具滅菌トレイは、複数の器具保持装置の各々が、そこに保持された複数の整形外科用器具のうちの１つを有する場合、複数の右肢側特定型髄内コネクタコンポーネントのうちのいずれも有しない。
【００１８】
例示的に、複数の右肢側特定型髄内コネクタコンポーネントの各々は、複数の右肢側特定型髄内コネクタコンポーネントの他のものの各々のサイズとは異なるサイズを有し得、複数の左肢側特定型髄内コネクタコンポーネントの各々は、複数の左肢側特定型髄内コネクタコンポーネントの他のものの各々のサイズとは異なるサイズを有し得る。
【００１９】
一実施形態では、複数の整形外科用器具は、複数の右肢側特定型ボックストライアルコンポーネントと、複数の左肢側特定型ボックストライアルコンポーネントとを更に含む。そのような実施形態では、第１の器具滅菌トレイは、複数の器具保持装置の各々が、そこに保持された複数の整形外科用器具のうちの１つを有する場合、複数の左肢側特定型ボックストライアルコンポーネントのうちのいずれも有さず、第２の器具滅菌トレイは、複数の器具保持装置の各々が、そこに保持された複数の整形外科用器具のうちの１つを有する場合、複数の右肢側特定型ボックストライアルコンポーネントのうちのいずれも有しない。
【００２０】
例示的に、複数の右肢側特定型ボックストライアルコンポーネントの各々は、複数の右肢側特定型ボックストライアルコンポーネントのうちの他のものの各々のサイズとは異なるサイズを有し、複数の左肢側特定型ボックストライアルコンポーネントの各々は、複数の左肢側特定型ボックストライアルコンポーネントのうちの他のものの各々のサイズとは異なるサイズを有する。
【００２１】
複数の整形外科用器具は、複数の右肢側特定型大腿骨リーマガイドコンポーネントと、複数の左肢側特定型大腿骨リーマガイドコンポーネントとを更に含んでもよい。そのような実施形態では、第１の器具滅菌トレイは、複数の器具保持装置の各々が、そこに保持された複数の整形外科用器具のうちの１つを有する場合、複数の左肢側特定型大腿骨リーマガイドコンポーネントのうちのいずれも有さず、第２の器具滅菌トレイは、複数の器具保持装置の各々が、そこに保持された複数の整形外科用器具のうちの１つを有する場合、複数の右肢側特定型大腿骨リーマガイドコンポーネントのうちのいずれも有しない。
【００２２】
例示的に、複数の左肢側特定型大腿骨リーマガイドコンポーネントの各々は、複数の左肢側特定型大腿骨リーマガイドコンポーネントのうちの他のものの各々のサイズとは異なるサイズを有し、複数の右肢側特定型大腿骨リーマガイドコンポーネントの各々は、複数の右肢側特定型大腿骨リーマガイドコンポーネントのうちの他のものの各々のサイズとは異なるサイズを有する。
【００２３】
更なる態様によれば、外科用器具システムを使用する方法は、複数の右肢側特定型整形外科用トライアルコンポーネントを第１の器具滅菌トレイ内に、かつ複数の左肢側特定型整形外科用トライアルコンポーネントを第２の器具滅菌トレイ内に位置付け、それによって、第１の器具滅菌トレイが、複数の左肢側特定型整形外科用トライアルコンポーネントのうちのいずれも有さず、第２の器具滅菌トレイが、複数の右肢側特定型整形外科用トライアルコンポーネントのうちのいずれも有しないようにすることを含む。次いで、第１の器具トレイ及び第２の器具トレイが滅菌され、整形外科処置の実行中に、第１の器具トレイ及び第２の器具トレイのうちの少なくとも１つが利用される。
【００２４】
一実施形態では、第１の器具トレイは、患者の右肢における整形外科処置の実行中に利用される。
【００２５】
第２の器具トレイは、患者の左肢における整形外科処置の実行中に利用され得る。
【００２６】
複数の右肢側特定型大腿骨トライアルコンポーネントは、第１のトレイ内に位置付けられ得、複数の左肢側特定型大腿骨トライアルコンポーネントは、第２のトレイ内に位置付けられ得る。
【００２７】
一実施形態では、複数の右肢側特定型髄内コネクタコンポーネントは、第１のトレイ内に位置付けられ、複数の左肢側特定型髄内コネクタコンポーネントは、第２のトレイ内に位置付けられる。
【００２８】
例示的に、複数の右肢側特定型ボックストライアルコンポーネントは、第１のトレイ内に位置付けられ、複数の左肢側特定型ボックストライアルコンポーネントは、第２のトレイ内に位置付けられる。
【００２９】
一実施形態において、複数の右肢側特定型大腿骨リーマガイドコンポーネントは、第１のトレイ内に位置付けられ、複数の左肢側特定型大腿骨リーマガイドコンポーネントは、第２のトレイ内に位置付けられる。
【図面の簡単な説明】
【００３０】
発明を実施するための形態では、特に次の図面を参照する。
【図１】右肢側特定型整形外科用器具アセンブリの例示的な実施形態の立面図である。
【図２】図１に類似した図であるが、左肢側特定型整形外科用器具アセンブリを示す。
【発明を実施するための形態】
【００３１】
本開示の概念には様々な改変及び代替的形態が考えられるが、その特定の例示的な実施形態を図面に例として示し、本明細書において詳細に述べる。しかしながら、本開示の概念を開示される特定の形態に限定することを何ら意図するものではなく、その逆に、本発明は、添付の「特許請求の範囲」において定義される発明の趣旨及び範囲に包含される全ての改変、等価物、並びに代替物を網羅することを意図するものであることを理解されたい。
【００３２】
解剖学的基準を表す、前、後、内側、外側、上、下などの用語は、本明細書全体を通じて、本明細書において述べられる整形外科用インプラント及び整形外科用器具に関して、並びに患者の生体解剖学的構造に関して使用されてよい。これらの用語は、解剖学の研究及び整形外科学の分野のいずれにおいても広く理解された意味を有するものである。本明細書及び特許請求の範囲におけるこれらの解剖学的基準を表す用語の使用は、特に断らない限り、それらの十分に理解されている意味と一貫性を有するものとする。
【００３３】
ここで図１及び２を参照すると、一対の整形外科用器具アセンブリ１０、１２が図示されている。整形外科用器具アセンブリ１０、１２の各々は、内部に位置付けられた多数の整形外科用器具１８を有する滅菌トレイ１４を含む。本明細書で「整形外科用器具」又は「整形外科用器具アセンブリ」という用語が意味するものは、整形外科処置の実施において執刀医により使用される外科用工具である。このように、本明細書で使用される場合、「整形外科用器具」及び「整形外科用器具アセンブリ」という用語は、患者の身体に外科的に埋め込まれる整形外科用インプラント又はプロテーゼとは異なることが理解されるべきである。
【００３４】
本明細書に記載の例示的な実施形態では、器具アセンブリ１０、１２の整形外科用器具１８の各々は、側特定型整形外科用器具又は側特定型整形外科用トライアルコンポーネントである。本明細書において、「側特定型整形外科用器具」又は「側特定型整形外科用トライアルコンポーネント」という用語が意味するものは、患者の一方の肢（すなわち、左又は右）に特定的に使用するために特に設計された整形外科用器具又は整形外科用トライアルコンポーネントである。例えば、右肢側特定型大腿骨トライアルコンポーネントは、患者の右大腿骨に使用するが、患者の左大腿骨には使用しないように特定的に設計される。反対は、左肢側特定型大腿骨トライコンポーネントのケースであり、すなわち、患者の左大腿骨上で使用されるが、患者の右大腿骨では使用しないように特定的に設計されている。多数の整形外科用器具、例えば、鋸刃、ドライバー、ステムトライアルコンポーネント、脛骨トライアルコンポーネントは、側特定型ではないことが理解されるべきである。そのような非側特定型器具は、患者の両方の肢（例えば、左右両大腿骨）上で使用されるように設計される。このように、本明細書において「非側特定型器具」という用語が意味するものは、患者の両方の肢上で使用されるように設計された整形外科用器具である。
【００３５】
器具滅菌トレイ１４は、多数の器具保持装置２０を有する。器具保持装置２０は、外科用器具アセンブリ１０、１２の滅菌、輸送、及び格納中、各種の異なる形状にされた整形外科用器具滅菌中１８を保持するように構成される。器具保持装置２０は、ブラケット、コネクタ、クレードル、又は整形外科用器具１８を、所望の位置及び配向で保持するための任意の他のタイプの機構として構成されてもよい。また、保持装置２０は、整形外科用器具１８を内部に挿入及び保持することができる器具滅菌トレイ１４に形成された、特定の形状にされた凹部又は空洞の形態を採ることができることが理解されるべきである。図１及び２の両方に見られるように、器具滅菌トレイ１４の壁のうちのいくつか、及び器具保持装置２０のうちのいくつかは、内部に形成された流体孔２２を有する。流体孔２２は、滅菌プロセス中に器具滅菌トレイ１４内部に滅菌流体を通過させることを可能にする。
【００３６】
外科用器具アセンブリ１０、１２は、側特定的にキット化される。特に、外科用器具アセンブリ１０は、様々なサイズの右肢側特定型整形外科用器具を含むが、左肢側特定型整形外科用器具を含まない。反対に、外科用器具アセンブリ１２は、様々なサイズの左肢側特定型整形外科用器具を含むが、右肢側特定型整形外科用器具を含まない。
【００３７】
まず外科用器具アセンブリ１０を見ると、複数の右肢側特定型大腿骨トライアルコンポーネント３０を含む。本明細書に記載の例示的な実施形態では、大腿骨トライアルコンポーネント３０は、カットスルー大腿骨トライアルコンポーネントとして埋め込まれる。しかしながら、他のタイプの大腿骨トライアルコンポーネントの使用もまた意図されることが理解されるべきである。外科用器具アセンブリ１０の右肢側特定型大腿骨トライアルコンポーネント３０は、患者の遠位大腿骨上に設置される大腿骨インプラント（図示せず）の対応する構造体の様々なサイズを模倣するように、多数の多様なサイズで提供され得る。例示的な一実施形態では、外科用器具アセンブリ１０の右肢側特定型大腿骨トライアルコンポーネント３０は、５つの異なるサイズ、すなわちサイズ３、サイズ４、サイズ５、サイズ６、サイズ７、及びサイズ８で提供され得る。
【００３８】
外科用器具アセンブリ１０はまた、複数の右肢側特定型髄内腔（ＩＭ）コネクタコンポーネント３２を含む。大腿骨トライアルコンポーネント３０と同様に、外科用器具アセンブリ１０の右肢側特定型ＩＭコネクタコンポーネント３２は、患者の遠位大腿骨上に設置される大腿骨インプラント（図示せず）の対応する構造体の様々なサイズを模倣するように、多数の多様なサイズで提供され得る。例示的な一実施形態では、外科用器具アセンブリ１０の右肢側特定型ＩＭコネクタコンポーネント３２は、５つの異なるサイズ、すなわちサイズ４、サイズ５、サイズ６、サイズ７、及びサイズ８で提供され得る。
【００３９】
外科用器具アセンブリ１０は、更に、複数の右肢側特定型ボックストライアルコンポーネント３４を含む。他のコンポーネント３０、３２と同様に、外科用器具アセンブリ１０の右肢側特定ボックストライアルコンポーネント３４は、患者の遠位大腿骨上に設置される大腿骨インプラント（図示せず）の対応する構造体の様々なサイズを模倣するように、多数の多様なサイズで提供され得る。例示的な一実施形態では、外科用器具アセンブリ１０の右肢側特定型ボックストライアルコンポーネント３４は、５つの異なるサイズ、すなわちサイズ４、サイズ５、サイズ６、サイズ７、及びサイズ８で提供され得る。
【００４０】
加えて、外科用器具アセンブリ１０は、複数の右肢側特定型大腿骨リーマガイドコンポーネント３６を含む。外科用器具アセンブリ１０の右肢側特定型大腿骨リーマガイドコンポーネント３６は、大腿骨インプラント（図示せず）の設置中に、患者の大腿骨のリーミングを容易にするように多数の多様なサイズで提供され得る。例示的な一実施形態では、外科用器具アセンブリ１０の右肢側特定型大腿骨リーマガイドコンポーネント３６は、３つの異なるサイズ、すなわちサイズ３、サイズ４〜７、及びサイズ８〜１０で提供され得る。
【００４１】
外科用器具アセンブリ１２は、その整形外科用器具が左肢側特定型器具であることを除いて、外科用器具アセンブリ１０に関して、上記されたものに類似している。つまり、外科用器具アセンブリ１２は、複数の左肢側特定型大腿骨トライアルコンポーネント４０を含む。大腿骨トライアルコンポーネント３０と同様に、大腿骨トライアルコンポーネント４０は、カットスルー大腿骨トライアルコンポーネントとして埋め込まれる。しかしながら、他のタイプの大腿骨トライアルコンポーネントの使用もまた意図されることが理解されるべきである。上述したものと同様に、外科用器具アセンブリ１０の左肢側特定型大腿骨トライアルコンポーネント４０は、多数の多様なサイズ、例えばサイズ３、サイズ４、サイズ５、サイズ６、サイズ７、及びサイズ８等で提供され得る。
【００４２】
外科用器具アセンブリ１２はまた、複数の左肢側特定型髄内腔（ＩＭ）コネクタコンポーネント４２を含む。ＩＭコネクタコンポーネント３２と同様に、外科用器具アセンブリ１２の左肢側特定型ＩＭコネクタコンポーネント４２は、多数の多様なサイズ、例えば、サイズ３、サイズ４、サイズ５、サイズ６、サイズ７、及びサイズ８等で提供され得る。同様に、外科用器具アセンブリ１２もまた、複数の左肢側特定型ボックストライアルコンポーネント４４を含む。外科用器具アセンブリ１２の左肢側特定型ボックストライアルコンポーネント４４は、多数の多様なサイズ、例えばサイズ３、サイズ４、サイズ５、サイズ６、サイズ７、及びサイズ８等で提供され得る。最終的に、本明細書に記載の例示的な実施形態では、外科用器具アセンブリ１２は、複数の左肢側特定型大腿骨リーマガイドコンポーネント４６を含む。右肢の対応部分と同様に、左肢側特定型大腿骨リーマガイドコンポーネント３６は、例示的には、異なる３つの異なるサイズ、すなわちサイズ３、サイズ４〜７、及びサイズ８〜１０で提供され得る。
【００４３】
上記のように、整形外科用器具アセンブリ１０、１２は、サイズ特定型システムとは対照的に、側特定型システムとして構成される。特に、外科処置で使用するために完全にキット化及び調製される場合、整形外科用器具アセンブリ１０は、患者の右肢に使用するように構成され、したがって、いかなる左肢側特定型整形外科用器具も有しない。換言すれば、外科用器具アセンブリ１０の器具滅菌トレイ１４が完全に装填されるとき、すなわち、各器具保持装置２０の各々が、内部に保持された器具を有するとき、保持装置２０のいずれも、左肢側特定型外科用器具を含まない。本明細書に記載の例示的な実施形態では、右肢側特定型整形外科用器具は、トレイが完全に装填されると、外科用器具アセンブリ１０の器具滅菌トレイ１４の器具保持装置２０の各々に位置付けられる。しかしながら、一部の実施形態において、非側特定型整形外科器具は、右肢側特定型外科用器具と共に、外科用器具アセンブリ１０の器具滅菌トレイ１４に配置されてもよいことが理解されるべきである。
【００４４】
反対に、外科処置で使用するために完全にキット化及び調製される場合、整形外科用器具アセンブリ１２は、患者の左側の肢に使用するために構成され、このため、いかなる右肢側特定整形外科用器具も有しない。具体的には、外科用器具アセンブリ１２の器具滅菌トレイ１４が完全に装填されるとき、すなわち、器具保持装置２０の各々が、内部に保持された器具を有するとき、保持装置２０いずれも、右肢側特定型外科用器具を含まない。本明細書に記載の例示的な実施形態において、左肢側特定型整形外科用器具は、トレイが完全に装填されるとき、外科用器具アセンブリ１２の器具滅菌トレイ１４の保持装置２０の各々に位置付けられる。しかしながら、いくつかの実施形態では、非側特定型整形外科用器具は、左肢側特定型外科用器具と共に、外科用器具アセンブリ１０の器具滅菌トレイ１４内に配置されてもよいことが理解されるべきである。
【００４５】
使用時に、整形外科用器具アセンブリ１０は、患者の右肢の整形外科処置中に使用され、整形外科用器具アセンブリ１２は、患者の左肢の整形外科処置中に使用される。それぞれの器具システム１２、１０の器具滅菌トレイ１４は、最初に、対応する側特定型整形外科用器具に取り込まれる。すなわち、右肢側特定型整形外科用器具は、外科用器具アセンブリ１０の滅菌トレイ１４内に位置付けられ、左肢側特定型整形外科用器具は、外科用器具アセンブリ１２の器具滅菌トレイ１４内に位置付けられる。本明細書に記載されている例示的な実施形態では、右肢側特定型大腿骨トライアルコンポーネント３０、右肢側特定型ＩＭコネクタコンポーネント３２、右肢側特定型ボックストライアルコンポーネント３４、及び右肢側特定型大腿骨リーマガイドコンポーネント３６は、外科用器具アセンブリ１０の器具滅菌トレイ１４の保持装置２０内に位置付けられ、左肢側特定型大腿骨トライアルコンポーネント４０、左肢側特定型ＩＭコネクタコンポーネント４２、左肢側特定型ボックストライアルコンポーネント４４、及び左肢側特定型大腿骨リーマガイドコンポーネント４６は、外科用器具アセンブリ１２の器具滅菌トレイ１４の保持装置２０内に位置付けられる。このように、外科用器具アセンブリ１０の器具滅菌トレイ１４は、左肢側特定型外科用器具を有さず、外科用器具アセンブリ１２の器具滅菌トレイ１４は、右肢側特定型器具を有しない。しかしながら、いくつかの実施形態では、非側特定型器具は、いずれかの器具アセンブリ１０、１２の滅菌トレイ１４内に配置されてもよい。
【００４６】
いったん滅菌トレイ１４がそのように充填されると、器具アセンブリ１０、１２が滅菌される。実行されている整形外科処置が、右肢の処置であるか、又は左肢の処置であるか（例えば、右膝の処置であるか、又は左膝の処置であるか）に依存して、対応する滅菌済み器具アセンブリ１０、１２は、その後手術室に送られ、処置の実行中に外科スタッフによって利用される。
【００４７】
器具アセンブリ１０、１２を本明細書に記載されたようにキット化することは、反対の肢（すなわち、手術を受けていない肢）のための器具が存在しないため、手術室内で使用されない器具の量を低減させる。完全に装填されたトレイ１４の重量は、そのような不要な器具を含まないことによって低減させることができる。また、不要な器具を含まないことにより、使用されない器具の数を低減させ得るため、手術後の洗浄及び滅菌もまた改善される。
【００４８】
本明細書に記載されたシステム及び方法は、補正膝処置等の処置の実行における特定の利点を見出し得る。しかしながら、それらの利点の多くは、他の整形外科膝処置の他に、他の関節置換処置（例えば、股関節、肩、又は踝関節置換処置）の実行に使用される器具において更に認識され得る。
【００４９】
図面及び上記の説明において本開示を詳細に例証及び説明してきたが、このような例証及び説明は、その性質上、あくまで例示的なものであって限定的なものとは見なすべきではなく、あくまで代表的な実施形態を示しかつ説明してきたにすぎず、本開示の趣旨の範囲内に含まれる全ての変更及び改変は保護されることが望ましいことが理解される。
【００５０】
本開示は、本明細書において述べた方法、装置、及びシステムの様々な特徴に基づく複数の利点を有するものである。本開示の方法、装置、及びシステムの代替的実施形態は、ここで述べた特徴の全てを含むわけではないが、こうした特徴の利点の少なくとも一部から利益を享受するものであることに留意されよう。当業者であれば、本発明の１つ又は２つ以上の特徴を取り入れた、添付の特許請求の範囲において定義される本開示の趣旨及び範囲に包含される方法、装置、及びシステムを独自に容易に実施することが可能である。
【００５１】
〔実施の態様〕
（１）  外科用器具システムであって、
複数の整形外科用器具であって、（ｉ）複数の右肢側特定型整形外科用トライアルコンポーネントであって、前記複数の右肢側特定型整形外科用トライアルコンポーネントの各々が、前記複数の右肢側特定型整形外科用トライアルコンポーネントのうちの他のもののうちの少なくともいくつかのサイズとは異なるサイズを有する、複数の右肢側特定型整形外科用トライアルコンポーネントと、（ｉｉ）複数の左肢側特定型整形外科用トライアルコンポーネントであって、前記複数の左肢側特定型整形外科用トライアルコンポーネントの各々が、前記複数の左肢側特定型整形外科用トライアルコンポーネントのうちの他のもののうちの少なくともいくつかのサイズとは異なるサイズを有する、複数の左肢側特定型整形外科用トライアルコンポーネントと、を含む、複数の整形外科用器具と、
前記整形外科用器具をその滅菌及び輸送中に保持するように構成された複数の器具保持装置を有する、第１の器具滅菌トレイであって、前記複数の器具保持装置の各々が、それに保持された前記複数の整形外科用器具のうちの１つを有する場合、前記複数の左肢側特定型整形外科用トライアルコンポーネントのうちのいずれも有しない、第１の器具滅菌トレイと、
前記整形外科用器具をその滅菌及び輸送中に保持するように構成された複数の器具保持装置を有する、第２の器具滅菌トレイであって、前記複数の器具保持装置の各々が、それに保持された前記複数の整形外科用器具のうちの１つを有する場合、前記複数の右肢側特定型整形外科用トライアルコンポーネントのうちのいずれも有しない、第２の器具滅菌トレイと、を備える、外科用器具システム。
（２）  前記複数の右肢側特定型整形外科用トライアルコンポーネントが、複数の右肢側特定型大腿骨トライアルコンポーネントを備え、
前記複数の左肢側特定型整形外科用トライアルコンポーネントが、複数の左肢側特定型大腿骨トライアルコンポーネントを備え、
前記第１の器具滅菌トレイは、前記複数の器具保持装置の各々が、そこに保持された前記複数の整形外科用器具のうちの１つを有する場合、前記複数の左肢側特定型大腿骨トライアルコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨トライアルコンポーネントのいずれも有しない、実施態様１に記載の外科用器具システム。
（３）  前記複数の右肢側特定型大腿骨トライアルコンポーネントの各々が、前記複数の右肢側特定型大腿骨トライアルコンポーネントのうちの他のものの各々のサイズとは異なるサイズを有し、
前記複数の左肢側特定型大腿骨トライアルコンポーネントの各々が、前記複数の左肢側特定型大腿骨トライアルコンポーネントのうちの他のものの各々のサイズとは異なるサイズを有する、実施態様２に記載の外科用器具システム。
（４）  前記複数の右肢側特定型大腿骨トライアルコンポーネントが、複数の右肢側特定型大腿骨カットスルートライアルコンポーネントを備え、
前記複数の左肢側特定型大腿骨トライアルコンポーネントが、複数の左肢側特定型大腿骨カットスルートライアルコンポーネントを備える、実施態様２に記載の外科用器具システム。
（５）  前記複数の右肢側特定型整形外科用トライアルコンポーネントが、複数の右肢側特定型髄内コネクタコンポーネントを備え、
前記複数の左肢側特定型整形外科用トライアルコンポーネントが、複数の左肢側特定型髄内コネクタコンポーネントを備え、
前記第１の器具滅菌トレイは、前記複数の器具保持装置の各々が、そこに保持された前記複数の整形外科用器具のうちの１つを有する場合、前記複数の左肢側特定型髄内コネクタコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型髄内コネクタコンポーネントのうちのいずれも有しない、実施態様１に記載の外科用器具システム。
【００５２】
（６）  前記複数の右肢側特定型髄内コネクタコンポーネントの各々が、前記複数の右肢側特定型髄内コネクタコンポーネントのうちの他のものの各々のサイズとは異なるサイズを有し、
前記複数の左肢側特定型髄内コネクタコンポーネントの各々が、前記複数の左肢側特定型髄内コネクタコンポーネントのうちの他のものの各々のサイズとは異なるサイズを有する、実施態様５に記載の外科用器具システム。
（７）  前記複数の右肢側特定型整形外科用トライアルコンポーネントが、複数の右肢側特定型ボックストライアルコンポーネントを備え、
前記複数の左肢側特定型整形外科用トライアルコンポーネントが、複数の左肢側特定型ボックストライアルコンポーネントを備え、
前記第１の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有さず、
前記第２の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有しない、実施態様１に記載の外科用器具システム。
（８）  前記複数の右肢側特定型ボックストライアルコンポーネントの各々が、前記複数の右肢側特定型ボックストライアルコンポーネントのうちの他のものの各々のサイズとは異なるサイズを有し、
前記複数の左肢側特定型ボックストライアルコンポーネントの各々が、前記複数の左肢側特定型ボックストライアルコンポーネントのうちの他のものの各々のサイズとは異なるサイズを有する、実施態様７に記載の外科用器具システム。
（９）  前記複数の右肢側特定型整形外科用トライアルコンポーネントが、複数の右肢側特定型大腿骨リーマガイドコンポーネントを備え、
前記複数の左肢側特定型整形外科用トライアルコンポーネントが、複数の左肢側特定型大腿骨リーマガイドコンポーネントを備え、
前記第１の器具滅菌トレイは、前記複数の器具保持装置の各々が、そこに保持された前記複数の整形外科用器具のうちの１つを有する場合、前記複数の左肢側特定型大腿骨リーマガイドコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨リーマガイドコンポーネントのうちのいずれも有しない、実施態様１に記載の外科用器具システム。
（１０）  前記複数の右肢側特定型大腿骨リーマガイドコンポーネントの各々が、前記複数の右肢側特定型大腿骨リーマガイドコンポーネントのうちの他のものの各々のサイズとは異なるサイズを有し、
前記複数の左肢側特定型大腿骨リーマガイドコンポーネントの各々が、前記複数の左肢側特定型大腿骨リーマガイドコンポーネントのうちの他のものの各々のサイズとは異なるサイズを有する、実施態様９に記載の外科用器具システム。
【００５３】
（１１）  外科用器具システムであって、
複数の整形外科用器具であって、（ｉ）複数の右肢側特定型大腿骨トライアルコンポーネントであって、前記複数の右肢側特定型大腿骨トライアルコンポーネントの各々が、前記複数の右肢側特定型大腿骨トライアルコンポーネントのうちの他のものの各々のサイズとは異なるサイズを有する、複数の右肢側特定型大腿骨トライアルコンポーネントと、（ｉｉ）複数の左肢側特定型大腿骨トライアルコンポーネントであって、前記複数の左肢側特定型大腿骨トライアルコンポーネントの各々が、前記複数の左肢側特定型大腿骨トライアルコンポーネントのうちの他のものの各々のサイズとは異なるサイズを有する、複数の左肢側特定型大腿骨トライアルコンポーネントと、を含む、複数の整形外科用器具と、
前記整形外科用器具をその滅菌及び輸送中に保持するように構成された複数の器具保持装置を有する、第１の器具滅菌トレイであって、前記複数の器具保持装置の各々が、それに保持された前記複数の整形外科用器具のうちの１つを有する場合、前記複数の左肢側特定型大腿骨トライアルコンポーネントのいずれも有しない、第１の器具滅菌トレイと、
前記整形外科用器具をその滅菌及び輸送中に保持するように構成された複数の器具保持装置を有する、第２の器具滅菌トレイであって、前記複数の器具保持装置の各々が、それに保持された前記複数の整形外科用器具のうちの１つを有する場合、前記複数の右肢側特定型大腿骨トライアルコンポーネントのいずれも有しない、第２の器具滅菌トレイと、を備える、外科用器具システム。
（１２）  前記複数の右肢側特定型大腿骨トライアルコンポーネントが、複数の右肢側特定型大腿骨カットスルートライアルコンポーネントを備え、
前記複数の左肢側特定型大腿骨トライアルコンポーネントが、複数の左肢側特定型大腿骨カットスルートライアルコンポーネントを備える、実施態様１１に記載の外科用器具システム。
（１３）  前記複数の整形外科用器具が、（ｉ）複数の右肢側特定型髄内コネクタコンポーネントと、（ｉｉ）複数の左肢側特定型髄内コネクタコンポーネントと、を更に含み、
前記第１の器具滅菌トレイは、前記複数の器具保持装置の各々が、そこに保持された前記複数の整形外科用器具のうちの１つを有する場合、前記複数の左肢側特定型髄内コネクタコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型髄内コネクタコンポーネントのいずれも有しない、実施態様１１に記載の外科用器具システム。
（１４）  前記複数の右肢側特定型髄内コネクタコンポーネントの各々が、前記複数の右肢側特定型髄内コネクタコンポーネントのうちの他のものの各々のサイズとは異なるサイズを有し、
前記複数の左肢側特定型髄内コネクタコンポーネントの各々が、前記複数の左肢側特定型髄内コネクタコンポーネントのうちの他のものの各々のサイズとは異なるサイズを有する、実施態様１３に記載の外科用器具システム。
（１５）  前記複数の整形外科用器具が、（ｉ）複数の右肢側特定型ボックストライアルコンポーネントと、（ｉｉ）複数の左肢側特定型ボックストライアルコンポーネントと、を更に含み、
前記第１の器具滅菌トレイは、前記複数の器具保持装置の各々が、そこに保持された前記複数の整形外科用器具のうちの１つを有する場合、前記複数の左肢側特定型ボックストライアルコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型ボックストライアルコンポーネントのうちのいずれも有しない、実施態様１１に記載の外科用器具システム。
【００５４】
（１６）  前記複数の右肢側特定型ボックストライアルコンポーネントの各々が、前記複数の右肢側特定型ボックストライアルコンポーネントのうちの他のものの各々のサイズとは異なるサイズを有し、
前記複数の左肢側特定型ボックストライアルコンポーネントの各々が、前記複数の左肢側特定型ボックストライアルコンポーネントのうちの他のものの各々のサイズとは異なるサイズを有する、実施態様１５に記載の外科用器具システム。
（１７）  前記複数の整形外科用器具が、（ｉ）複数の右肢側特定型大腿骨リーマガイドコンポーネントと、（ｉｉ）複数の左肢側特定型大腿骨リーマガイドコンポーネントと、を更に含み、
前記第１の器具滅菌トレイは、前記複数の器具保持装置の各々が、そこに保持された前記複数の整形外科用器具のうちの１つを有する場合、前記複数の左肢側特定型大腿骨リーマガイドコンポーネントのうちのいずれも有さず、
前記第２の器具滅菌トレイは、前記複数の器具保持装置の各々が、そこに保持された前記複数の整形外科用器具のうちの１つを有する場合、前記複数の右肢側特定型大腿骨リーマガイドコンポーネントのうちのいずれも有しない、実施態様１１に記載の外科用器具システム。
（１８）  前記複数の右肢側特定型大腿骨リーマガイドコンポーネントの各々が、前記複数の右肢側特定型大腿骨リーマガイドコンポーネントのうちの他のものの各々のサイズとは異なるサイズを有し、
前記複数の左肢側特定型大腿骨リーマガイドコンポーネントの各々が、前記複数の左肢側特定型大腿骨リーマガイドコンポーネントのうちの他のものの各々のサイズとは異なるサイズを有する、実施態様１７に記載の外科用器具システム。
（１９）  外科用器具システムを使用する方法であって、
複数の右肢側特定型整形外科用トライアルコンポーネントを第１の器具滅菌トレイ内に、かつ複数の左肢側特定型整形外科用トライアルコンポーネントを第２の器具滅菌トレイ内に位置付け、それによって、（ｉ）前記第１の器具滅菌トレイが、前記複数の左肢側特定型整形外科用トライアルコンポーネントのうちのいずれも有さず、（ｉｉ）前記第２の器具滅菌トレイが、前記複数の右肢側特定型整形外科用トライアルコンポーネントのうちのいずれも有しないようにすることと、
前記第１の器具トレイ及び前記第２の器具トレイを滅菌することと、
整形外科処置の実行中に、前記第１の器具トレイ及び前記第２の器具トレイのうちの少なくとも１つを利用することと、を含む、方法。
（２０）  前記第１の器具トレイ及び前記第２の器具トレイのうちの少なくとも１つを利用することが、患者の右肢における整形外科処置の実行中に、前記第１の器具トレイを利用することを含む、実施態様１９に記載の方法。
【００５５】
（２１）  前記第１の器具トレイ及び前記第２の器具トレイのうちの少なくとも１つを利用することが、患者の左肢における整形外科処置の実行中に、前記第２の器具トレイを利用することを含む、実施態様１９に記載の方法。
（２２）  前記複数の右肢側特定型整形外科用トライアルコンポーネントを前記第１の器具滅菌トレイ内に、かつ前記複数の左肢側特定型整形外科用トライアルコンポーネントを前記第２の器具滅菌トレイ内に位置付けることが、
複数の右肢側特定型大腿骨トライアルコンポーネントを、前記第１のトレイ内に位置付けることと、
複数の左肢側特定型大腿骨トライアルコンポーネントを、前記第２のトレイ内に位置付けることと、を含む、実施態様１９に記載の方法。
（２３）  前記複数の右肢側特定型整形外科用トライアルコンポーネントを前記第１の器具滅菌トレイ内に、かつ前記複数の左肢側特定型整形外科用トライアルコンポーネントを前記第２の器具滅菌トレイ内に位置付けることが、
複数の右肢側特定型髄内コネクタコンポーネントを、前記第１のトレイ内に位置付けることと、
複数の左肢側特定型髄内コネクタコンポーネントを、前記第２のトレイ内に位置付けることと、を含む、実施態様１９に記載の方法。
（２４）  前記複数の右肢側特定型整形外科用トライアルコンポーネントを前記第１の器具滅菌トレイ内に、かつ前記複数の左肢側特定型整形外科用トライアルコンポーネントを前記第２の器具滅菌トレイ内に位置付けることが、
複数の右肢側特定型ボックストライアルコンポーネントを、前記第１のトレイ内に位置付けることと、
複数の左肢側特定型ボックストライアルコンポーネントを、前記第２のトレイ内に位置付けることと、を含む、実施態様１９に記載の方法。
（２５）  前記複数の右肢側特定型整形外科用トライアルコンポーネントを前記第１の器具滅菌トレイ内に、かつ前記複数の左肢側特定型整形外科用トライアルコンポーネントを前記第２の器具滅菌トレイ内に位置付けることが、
複数の右肢側特定型大腿骨リーマガイドコンポーネントを、前記第１のトレイ内に位置付けることと、
複数の左肢側特定型大腿骨リーマガイドコンポーネントを、前記第２のトレイ内に位置付けることと、を含む、実施態様１９に記載の方法。
【図１】
2019063501.tif 000003
【図２】
2019063501.tif 000004
【外国語明細書】
2019063501000001.pdf